(57)【特許請求の範囲】
【請求項１】
スピーカの枠体に係合片を介して固定されるボックス体と、ボックス体に支持されたコイルスプリング状導線とを有し、ボックス体がスピーカの枠体に固定されることによりコイルスプリング状導線の一端がスピーカの枠体に設けられた端子に接触し、コイルスプリング状導線の他端がスピーカ外部の基板に接触可能にボックス体外に突出するようにしたことを特徴とするスピーカのコネクタ。
【請求項２】
請求項１に記載のスピーカのコネクタにおいて、スピーカの枠体から板片が突出し、この板片の両側縁に係合する一対の係合片がボックス体から突出することを特徴とするスピーカのコネクタ。
【請求項３】
請求項１又は請求項２に記載のスピーカのコネクタにおいて、コイルスプリング状導線の一端がボックス体に固定されたことを特徴とするスピーカのコネクタ。
【請求項４】
請求項１乃至請求項３のいずれかに記載のスピーカのコネクタにおいて、ボックス体に二個の貫通穴が形成され、各貫通穴にコイルスプリング状導線が挿入されたことを特徴とするスピーカのコネクタ。
【発明の詳細な説明】
【０００１】
【発明の属する技術分野】
本発明は、携帯電話、ＰＤＡ等の携帯情報端末に装着されるスピーカのコネクタに関する。
【０００２】
【従来の技術】
特開平９−９３８１号公報、特開２００１−１０２１１６公報、特開２００１−１１９７７５公報は、スピーカのコネクタについて開示する。
【０００３】
特開平９−９３８１号公報のスピーカは、スピーカの端子に突起を設け、スピーカ外部の基板に結線された導線の先端にコネクタを取り付け、このコネクタをスピーカの端子の突起に接続するようになっている。特開２００１−１０２１１６公報のスピーカは、基板とスピーカとの間にコンタクト基体を設け、コンタクト基体に導電性のある板バネを取り付け、この板バネの両端を基板とスピーカに夫々接触させるようになっている。特開２００１−１１９７７５公報のスピーカは、基板にコイルスプリング状導線の一端を連結しておき、このコイルスプリング状導線の他端をスピーカの端子に押し付けるようになっている。
【０００４】
【発明が解決しようとする課題】
特開平９−９３８１号公報のスピーカは、基板に結線された導線の先端にコネクタを取り付けるので、組立に手間がかかり、コストアップを招く。特開２００１−１０２１１６公報のスピーカは、板バネを取り付けるための大きく複雑な形状を有したコンタクト基体を用意しなければならないので、スペースを多く取り、またコストアップを招く。特開２００１−１１９７７５公報のスピーカは、基板とコイルスプリング状導線とを一体化するので、スピーカと基板との間隔がスピーカのタイプにより異なる場合は、その都度異なるコイルスプリング状導線を装着した基板を用意しなければならないという煩わしさがある。
【０００５】
従って、本発明は、より簡易に組み立てることができ、しかも低廉なスピーカのコネクタを提供することを目的とする。
【０００６】
【課題を解決するための手段】
上記課題を解決するため、請求項１に係る発明は、スピーカの枠体（１）に係合片（２）を介して固定されるボックス体（３）と、ボックス体（３）に支持されたコイルスプリング状導線（４）とを有し、ボックス体（３）がスピーカの枠体（１）に固定されることによりコイルスプリング状導線（４）の一端（４ａ）がスピーカの枠体（１）に設けられた端子（５）に接触し、コイルスプリング状導線（４）の他端（４ｃ）がスピーカ外部の基板（６）に接触可能にボックス体（３）外に突出するようにしたスピーカのコネクタを採用する。
【０００７】
請求項１に係る発明によれば、ボックス体（３）をスピーカの枠体（１）に係合片（２）で固定することによりコイルスプリング状導線（４）の一端（４ａ）をスピーカの枠体（１）上の端子（５）に接触させるので、簡易に導線（４）をスピーカに連結することができる。また、コイルスプリング状導線（４）の他端（４ｃ）がボックス体（３）外に突出するので、スピーカを基板（６）に対して近付けるとコイルスプリング状導線（４）が弾性変形してその他端（４ｃ）が基板（６）に接触する。従って、スピーカと基板（６）との距離が携帯情報端末やスピーカの種類等により相違する場合は、新たな基板を用意しなくともボックス体（３）を異なる長さのコイルスプリング状導線（４）を有するものと交換するのみで対処することができる。
【０００８】
また、請求項２に係る発明は、請求項１に記載のスピーカのコネクタにおいて、スピーカの枠体（１）から板片（９）が突出し、この板片（９）の両側縁に係合する一対の係合片（２）がボックス体（３）から突出するスピーカのコネクタを採用する。
【０００９】
この請求項２に係る発明によれば、ボックス体（３）から突出する一対の係合片（２）がスピーカの枠体（１）から突出する板片（９）の両側縁に係合するので、ボックス体（３）を板片（９）に押し付けるだけのワンタッチ操作により導線（４）をスピーカに連結することができ、結線作業が簡易かつ迅速化される。
【００１０】
また、請求項３に係る発明は、請求項１又は請求項２に記載のスピーカのコネクタにおいて、コイルスプリング状導線（４）の一端（４ａ）がボックス体（３）に固定されたスピーカのコネクタを採用する。
【００１１】
この請求項３に係る発明によれば、コイルスプリング状導線（４）がボックス体（３）に脱落することなく固定されるので、結線操作が簡易かつ迅速化される。
【００１２】
また、請求項４に係る発明は、請求項１乃至請求項３のいずれかに記載のスピーカのコネクタにおいて、ボックス体（３）に二個の貫通穴（１０）が形成され、各貫通穴（１０）にコイルスプリング状導線（４）が挿入されたスピーカのコネクタを採用する。
【００１３】
この請求項４に係る発明によれば、コイルスプリング状導線（４）が貫通穴（１０）内に収納されるので、コイルスプリング状導線（４）は円滑に弾性変形し、スピーカ側の端子（５）及び基板（６）側の端子に適正に接触する。
【００１４】
【発明の実施の形態】
以下、本発明に係るスピーカのコネクタの実施の形態について図面を参照して説明する。
【００１５】
図１乃至図３に示すように、このスピーカのコネクタは、スピーカの枠体１に係合片２を介して固定されるボックス体３と、ボックス体３に支持されたコイルスプリング状導線４とを有し、ボックス体３がスピーカの枠体１に固定されることによりコイルスプリング状導線４の一端がスピーカの枠体１に設けられた端子５に接触し、コイルスプリング状導線４の他端がスピーカ外部の基板６に接触可能にボックス体３外に突出するようになっている。
【００１６】
スピーカは、携帯電話、ＰＤＡ等の携帯情報端末用のもので、図４に示すように、略円盤形の枠体１を備える。枠体１内には振動板（図示せず）や、電磁回路等を含んだスピーカ側基板７が設けられる。枠体１は合成樹脂により成形され、その振動板に対応する表面は音を通すための穴が開いたカバー８で覆われる。円盤形の枠体１の側縁からは枠体１の延び方向に板片９が突出し、この板片９の背面に電磁回路の端子５が形成される。この端子５を含むスピーカ側基板７は図示しない保護材で被覆される。
【００１７】
ボックス体３は、図５乃至図７に示すように、上記枠体１の板片９に略重なり合う直方体のブロック片３ａと、ブロック片３ａの両側から突出する係合片２とを具備する。ボックス体３は、望ましくは合成樹脂により一体成形される。ブロック片３ａの中央部には、ブロック片３ａが枠体１の板片９に重なり合った時に板片９上の端子５に臨むように二個の円筒形の貫通穴１０が形成される。係合片２の先端は鉤状に屈曲した返し２ａとして形成される。上記枠体１の板片９の両側縁には、図４に示すように、係合片２の返し２ａを引っ掛けるための凹部１１が形成される。また、板片９の先端には突起１２が形成され、この突起１２に対応するブロック片３ａの端にはこの突起１２と係合する切欠１３が形成される。突起１２と切欠１３との係合により板片９からのボックス体３の脱け出しが阻止される。
【００１８】
このボックス体３が板片９に押し付けられると、ブロック片３ａや係合片２が撓んでボックス体３側の係合片２がスピーカ側の板片９の両側縁に係合する。また、同時に板片９の突起１２がブロック片３ａの切欠１３に嵌り込む。これにより、ボックス体３はスピーカ側に連結され固定される。
【００１９】
コイルスプリング状導線４は、上記ボックス体３の貫通穴１０に図８に示すような向きで夫々挿入される。図９に示すように、コイルスプリング状導線４のコイル部の一端には上記ボックス体３のブロック片３ａに沿って伸びる直線部４ａと直線部４ａの先端で屈曲する屈曲部４ｂとが形成され、他端には基板６の図示しない端子に接触する接触部４ｃがコイル部を横断するように形成される。このコイルスプリング状導線４は導電性のある線材で形成される。図５に示すように、コイル部の一端における直線部４ａ及び屈曲部４ｂに対応して、ボックス体３におけるブロック片３ａには直線部４ａが嵌り込む溝１４と屈曲部４ｂが挿入される穴１５とが形成される。溝１４はブロック片３ａの表面に沿って伸び、穴１５はブロック片３ａの肉厚方向に伸びる。コイルスプリング状導線４の一端はその直線部４ａと屈曲部４ｂが溝１４と穴１５に嵌り込むことによりボックス体３に固定される。この固定に際して望ましくは溝１４と穴１５に接着剤が充填される。このようにコイルスプリング状導線４がボックス体３に連結される結果、結線作業に際しコイルスプリング状導線４はボックス体３と一体で取り扱われ、ボックス体３がスピーカ側の板片９に装着されると同時にコイルスプリング状導線４の一端の直線部４ａがスピーカ側の端子５に接触する。
【００２０】
なお、コイルスプリング状導線４は図５に示すように一つのコネクタについて一対使用されるが、それらは対称形であり相互に形状が相違する。図９に示したコイルスプリング状導線４は図５中下側の貫通穴１０に挿入するためのものである。図５中上側の貫通穴１０に挿入するコイルスプリング状導線４は直線部４ａ及び屈曲部４ｂが図９に示したものと反対向きに取り付けたものとして用意される。もちろん、一対のコイルスプリング状導線４は同じ形状のものを使用することも可能であり、その場合はボックス体３に形成する一方の溝１４及び穴１５の位置も変更される。
【００２１】
スピーカ外部の基板６は、携帯電話等の携帯情報端末側の基板であり、図３に示すように、ボックス体３及びコイルスプリング状導線４が装着されたスピーカが所定の支持部材１６により支持された状態でこの基板６に押し付けられる。スピーカ側から突出するコイルスプリング状導線４のコイル部はこの押し付けによる圧縮力で弾性変形し、コイルスプリング状導線４の他端の接触部４ｃが基板６上の図示しない端子に接触する。コイルスプリング状導線４のコイル部はボックス体３の円筒形の貫通穴１０内に収納されているので円滑に弾性変形し、従ってその両端はスピーカ側基板７の端子５及び携帯情報端末側の基板６の図示しない端子に適正に接触する。
【００２２】
次に、上記構成のスピーカのコネクタの作用について説明する。
【００２３】
図７及び図８に示すように、一対のコイルスプリング状導線４をボックス体３の各貫通穴１０に挿入し、夫々の直線部４ａ及び屈曲部４ｂをボックス体３の溝１４及び穴１５に挿入する。これにより、一対のコイルスプリング状導線４がボックス体３に分離しないように連結され固定される。
【００２４】
このコイルスプリング状導線４が装着されたボックス体３をスピーカの枠体１から突出する板片９に下側から押し付ける。この押し付け力によりボックス体３のブロック片３ａ及び一対の係合片２が弾性変形し、係合片２が板片９の両側縁に係合する。また、この係合の際、係合片２の先端の返し２ａが板片９の凹部１１に嵌り込むので、ボックス体３は板片９に食い込む。また、ボックス体３側の切欠１３に板片９の突起１２が嵌り込み、ボックス体３の板片９上でのスライドによる脱け出しを阻止する。
【００２５】
ボックス体３が板片９に嵌め込まれると、同時にコイルスプリング状導線４の一端の直線部４ａがスピーカ側の板片９上の端子５に接触する。これにより、コイルスプリング状導線４はスピーカ側基板７に電気的に連結される。また、コイルスプリング状導線４の他端は図８の如くボックス体３外に突出する。
【００２６】
このスピーカを図３のごとく所定の支持部材１６で支持し、携帯情報端末側の基板６に対して近付けるとコイルスプリング状導線４が弾性変形してその他端の接触部４ｃが基板６の図示しない端子に接触する。これにより、コイルスプリング状導線４を介してスピーカ側の基板７は携帯情報端末側の基板６に電気的に導通する。
【００２７】
スピーカの仕様等に変更があり、スピーカ側端子５と基板６との距離が変わる場合は、異なる長さのコイルスプリング状導線４を取り付けたボックス体３を用意し、このボックス体３をスピーカの板片９に装着することで対処可能である。また、本発明に係るコネクタは係合片２により脱着が容易であるので、コネクタの再利用や交換を容易に行うことができる。
【００２８】
【発明の効果】
請求項１に係る発明によれば、スピーカの枠体に係合片を介して固定されるボックス体と、ボックス体に支持されたコイルスプリング状導線とを有し、ボックス体がスピーカの枠体に固定されることによりコイルスプリング状導線の一端がスピーカの枠体に設けられた端子に接触し、コイルスプリング状導線の他端がスピーカ外部の基板に接触可能にボックス体外に突出するようにしたスピーカのコネクタであり、ボックス体をスピーカの枠体に係合片で固定することによりコイルスプリング状導線の一端をスピーカの枠体上の端子に接触させるので、簡易に導線をスピーカに連結することができる。また、コイルスプリング状導線の他端がボックス体外に突出するので、スピーカを基板に対して近付けるとコイルスプリング状導線が弾性変形してその他端が基板に接触する。従って、スピーカと基板との距離がスピーカの種類等により相違する場合は、新たな基板を用意しなくともボックス体を異なる長さのコイルスプリング状導線を有するものと交換するのみで対処することができる。
【００２９】
請求項２に係る発明によれば、請求項１に記載のスピーカのコネクタにおいて、スピーカの枠体から板片が突出し、この板片の両側縁に係合する一対の係合片がボックス体から突出するスピーカのコネクタであり、ボックス体から突出する一対の係合片がスピーカの枠体から突出する板片の両側縁に係合するので、ボックス体を板片に押し付けるだけのワンタッチ操作により導線をスピーカに連結することができ、結線作業が簡易かつ迅速化される。
【００３０】
請求項３に係る発明によれば、請求項１又は請求項２に記載のスピーカのコネクタにおいて、コイルスプリング状導線の一端がボックス体に固定されたスピーカのコネクタであり、コイルスプリング状導線がボックス体に脱落することなく固定されるので、結線操作が簡易かつ迅速化される。
【００３１】
請求項４に係る発明によれば、請求項１乃至請求項３のいずれかに記載のスピーカのコネクタにおいて、ボックス体に二個の貫通穴が形成され、各貫通穴にコイルスプリング状導線が挿入されたスピーカのコネクタであり、コイルスプリング状導線が貫通穴内に収納されるので、コイルスプリング状導線は円滑に弾性変形し、スピーカ側端子及び基板側端子に適正に接触する。
【図面の簡単な説明】
【図１】本発明に係るコネクタを備えたスピーカの平面図である。
【図２】図１に示すスピーカの背面図である。
【図３】図１に示すスピーカを基板上にセットした状態を示す正面図である。
【図４】（Ａ）はコネクタを取り除いた状態で示すスピーカの平面図、（Ｂ）は背面図、（Ｃ）は正面図である。
【図５】コネクタのボックス体を示す平面図である。
【図６】図５に示すボックス体の立面図である。
【図７】図５の背面図である。
【図８】図５に示すボックス体をコイルスプリング状導線を装着した状態で示す側面図である。
【図９】（Ａ）はコイルスプリング状導線の平面図、（Ｂ）は立面図、（Ｃ）は底面図である。
【符号の説明】
１…スピーカの枠体
２…係合片
３…ボックス体
４…コイルスプリング状導線
４ａ…直線部
４ｃ…接触部
５…端子
６…基板
９…板片
１０…貫通穴
【図１】
0003804925.tif 000002
【図２】
0003804925.tif 000003
【図３】
0003804925.tif 000004
【図４】
0003804925.tif 000005
【図５】
0003804925.tif 000006
【図６】
0003804925.tif 000007
【図７】
0003804925.tif 000008
【図８】
0003804925.tif 000009
【図９】
0003804925.tif 000010